(57)【要約】【課題】分割型のケーシングを備える空調室内機において、ケーシングの分割部材を連結用爪で掛止する空調室内機のコストを削減する。【解決手段】室内熱交換器の一側部の側に配置される右側板部材５２を含む複数の分割部材からなる分割型のケーシング５０は、少なくとも一つの連結用爪５６を使って組み立てられる。右側板部材５２は、複数のセンサ用スリット５７が並んで形成され、複数のセンサ用スリット５７が室内温度センサに室内空気を導入するために用いられるとともに複数のセンサ用スリット５７のうちの少なくとも一つのセンサ用スリット５７ｂが少なくとも一つの連結用爪５６による掛止と室内空気の導入とに兼用される。【選択図】図２
2014092294.tif 000002
【特許請求の範囲】
【請求項１】
室内空気を熱交換する室内熱交換器（２０）と、
前記室内熱交換器に室内空気を送風する室内ファン（３０）と、
前記室内熱交換器の一側部の側に配置される第１側板部材（５２）を含む複数の分割部材からなり、少なくとも一つの連結用爪（５６，５８）を使って組み立てられ、前記室内熱交換器と前記室内ファンとを収納する分割型のケーシング（５０）と、
前記第１側板部材の近傍の前記ケーシング内に収納され、室内空気をセンシングするセンサ（４５）と、
を備え、
前記第１側板部材は、複数のセンサ用スリット（５７）が並んで形成され、複数の前記センサ用スリットが前記センサに室内空気を導入するために用いられるとともに複数の前記センサ用スリットのうちの少なくとも一つ（５７ｂ）が前記少なくとも一つの連結用爪（５６）による掛止と室内空気の導入とに兼用される、空調室内機。
【請求項２】
複数の前記分割部材は、前記室内熱交換器の他側部の側に配置される第２側板部材を（５３）含み、
前記少なくとも一つの連結用爪は、前記第１側板部材の前記センサ用スリットに掛止される第１連結用爪及び前記第２側板部材に掛止される第２連結用爪（５８）を含み、
前記第２側板部材は、前記第２連結用爪に掛止される爪穴（５９ｂ）と複数の凹溝（５８ａ）とが複数の前記センサ用スリットと対を成すように並んで形成されている、
請求項１に記載の空調室内機。
【請求項３】
前記少なくとも一つの連結用爪は、前記第１側板部材の側面から突出しないように、前記センサ用スリットに掛止される、
請求項１又は請求項２に記載の空調室内機。
【請求項４】
前記少なくとも一つの連結用爪は、前記センサ用スリットの後面側を掛止するように前後方向に対して垂直に延び、
前記第１側板部材が前面側から取り付けられるように構成されている、
請求項１から３のいずれか一項に記載の空調室内機。
【請求項５】
前記センサは、室内空気の温度を測定するための室内温度センサ（４５）であり、
前記第１側板部材に沿って電装品箱（４０）が配置され、前記室内温度センサが前記電装品箱に接続される、
請求項１から４のいずれか一項に記載の空調室内機。
【発明の詳細な説明】
【技術分野】
【０００１】
本発明は、空調室内機、特に、分割型のケーシングを備える空調室内機に関する。
【背景技術】
【０００２】
空気調和装置の空調室内機においては、分割構造を有する分割型のケーシングが用いられる場合がある。例えば特許文献１（特開２００５−１０６３８７号公報）に記載されているような分割型のケーシングでは、組み付け構造上、ケーシングを構成する分割部材を連結用爪で掛止する場合がある。
【発明の概要】
【発明が解決しようとする課題】
【０００３】
このような連結用爪を掛止するための爪穴をケーシングの分割部材に設けようとすると、爪穴を形成するために金型構造が複雑になるなど分割型のケーシングを備える空調室内機のコストが高くなるという問題が生じる。
【０００４】
本発明の課題は、分割型のケーシングを備える空調室内機において、ケーシングの分割部材を連結用爪で掛止する空調室内機のコストを削減することである。
【課題を解決するための手段】
【０００５】
本発明の第１観点に係る空調室内機は、室内空気を熱交換する室内熱交換器と、室内熱交換器に室内空気を送風する室内ファンと、室内熱交換器の一側部の側に配置される第１側板部材を含む複数の分割部材からなり、少なくとも一つの連結用爪を使って組み立てられ、室内熱交換器と室内ファンとを収納する分割型のケーシングと、第１側板部材の近傍のケーシング内に収納され、室内空気をセンシングするセンサと、を備え、第１側板部材は、複数のセンサ用スリットが並んで形成され、複数のセンサ用スリットがセンサに室内空気を導入するために用いられるとともに複数のセンサ用スリットのうちの少なくとも一つが少なくとも一つの連結用爪による掛止と室内空気の導入とに兼用されるものである。
【０００６】
これにより、爪穴をセンサ用スリットと兼用することができ、爪穴を形成するための金型の構造などを省くことができ、空調室内機の製造コストが削減できる。
【０００７】
本発明の第２観点に係る空調室内機は、第１観点に係る空調室内機において、複数の分割部材は、室内熱交換器の他側部の側に配置される第２側板部材を含み、少なくとも一つの連結用爪は、第１側板部材のセンサ用スリットに掛止される第１連結用爪及び第２側板部材に掛止される第２連結用爪を含み、第２側板部材は、第２連結用爪に掛止される爪穴と複数の凹溝とが複数のセンサ用スリットと対を成すように並んで形成されているものである。
【０００８】
これにより、第２連結用爪に掛止される爪穴と複数の凹溝とが複数のセンサ用スリットと対を成すように並べることができる。その結果、第１側板部材と第２側板部材とが側面について左右対称の外観を呈するように構成して、複数のセンサ用スリットを模様のように見せることができる。
【０００９】
本発明の第３観点に係る空調室内機は、第１観点又は第２観点に係る空調室内機において、少なくとも一つの連結用爪は、第１側板部材の側面から突出しないように、センサ用スリットに掛止されるものである。
【００１０】
これにより、少なくとも一つの連結用爪が第１側板部材の側面から突出しないので、前方や斜め下方から第１側板部材の側面を見ても連結用爪が見え難くなる。
【００１１】
本発明の第４観点に係る空調室内機は、第１観点から第３観点のいずれかに係る空調室内機において、少なくとも一つの連結用爪は、センサ用スリットの後面側を掛止するように前後方向に対して垂直に延び、第１側板部材が前面側から取り付けられるように構成されているものである。
【００１２】
これにより、空調室内機を室内の壁などに取り付けるときに、第１側板部材を前面側から取り付けられる。
【００１３】
本発明の第５観点に係る空調室内機は、第１観点から第４観点のいずれかに係る空調室内機において、センサは、室内空気の温度を測定するための室内温度センサであり、第１側板部材に沿って電装品箱が配置され、室内温度センサが電装品箱に接続されるものである。
【００１４】
これにより、室内温度センサから電装品箱までの配線が短くなり、室内温度センサから電装品箱までの配線が容易になる。
【発明の効果】
【００１５】
本発明の第１観点に係る空調室内機では、分割型のケーシングについて、第１側板部材を連結用爪で掛止することで、コストが削減できる。
【００１６】
本発明の第２観点に係る空調室内機では、複数のセンサ用スリットを模様に見せかけることで意匠性を向上させることができる。
【００１７】
本発明の第３観点に係る空調室内機では、連結用爪によって空調室内機の外観の意匠性が損なわれるのを防ぐことができる。
【００１８】
本発明の第４観点に係る空調室内機では、空調室内機を室内の壁などに取り付けるときの作業性が向上する。
【００１９】
本発明の第５観点に係る空調室内機では、センサからの配線が短くなり、センサからの配線が容易になってコストが削減される。
【図面の簡単な説明】
【００２０】
【図１】一実施形態に係る空調室内機の正面図。
【図２】一実施形態に係る空調室内機の右側面図。
【図３】一実施形態に係る空調室内機の左側面図。
【図４】一実施形態に係る空調室内機の斜視図。
【図５】図１のＩ−Ｉ線断面図。
【図６】前面パネル及び右側板部材が取り外されている空調室内機の右側面図。
【図７】前面パネルが取り外されている空調室内機の斜視図。
【図８】前面パネル及び右側板部材が取り外されている空調室内機の斜視図。
【発明を実施するための形態】
【００２１】
（１）全体構成
以下、本発明の一実施形態による空調室内機の全体構成について図１乃至図８を用いて説明する。図１は空調室内機の正面図であり、図２は空調室内機の右側面図であり、図３は空調室内機の左側面図である。図４には、空調室内機を右斜め上から見た状態が示されている。これら図１乃至図４から空調室内機１０の外観が分かる。また、図５は、図１のＩ−Ｉ線断面図である。図６には、図２に示されている右側板部材５２を取り外した状態の空調室内機１０の右側面が示されている。図１に示されているように、以下の説明では、壁面に取り付けられた状態の空調室内機１０の正面に向かって空調室内機１０の長手方向を左右方向、長手方向に対して垂直方向でかつ壁面に沿う方向を上下方向という。また、図２に示されているように、上下方向に対して垂直で、空調室内機１０の壁面から正面に向かう方向を前後方向という。さらに、図１及び図２に示すように、空調室内機１０の前方の面を前面１０ａ、後方の面を後面１０ｂ、右側の面を右側面１０ｃ、左側の面を左側面１０ｄ、上方の面を天面１０ｅ、そして下方の面を底面１０ｆという。
【００２２】
図５及び図６に示されているように、空調室内機１０は、主に、エアフィルタ１３と、室内熱交換器２０と、室内ファン３０と、風向調節羽根３１，３２，３３と、電装品箱４０と、室内温度センサ４５と、分割型のケーシング５０と、背面板６２とを備えている。
【００２３】
室内熱交換器２０は、側面視において、前面側の板状の多数の伝熱フィン２１と後面側の板状の多数の伝熱フィン２２がそれぞれ逆Ｖ字状に組み合わされている。伝熱フィン２１，２２には、伝熱管２３，２４が伝熱フィン２１，２２に対してそれぞれ垂直に延びるように取り付けられている。この伝熱管２３，２４が延びる方向が空調室内機１０の長手方向である。
【００２４】
前面側の伝熱フィン２１と後面側の伝熱フィン２２に挟まれる領域に室内ファン３０が配置されている。室内ファン３０は、クロスフローファンであり、室内熱交換器２０の伝熱管２３，２４が延びる方向に長く延びている。この室内ファン３０の長さは、ほぼ室内熱交換器２０の長さと同じである。
【００２５】
電装品箱４０は、前方からこれら室内熱交換器２０と室内ファン３０に向かって右側に配置されている。言い換えると、電装品箱４０が室内熱交換器２０の右側部の側に配置されているということである。電装品箱４０は、室内熱交換器２０の長手方向の厚みが薄く、前後方向の長さとその前後方向に垂直な上下方向の長さとが電装品箱４０の厚みよりも大きくなるように設計されている扁平の箱体である。電装品箱４０の厚みを薄くすることにより、空調室内機１０の長手方向の長さが抑えられている。
【００２６】
電装品箱４０が配置されている室内熱交換器２０の右側部の側には、室内温度センサ４５が配置されている。室内温度センサ４５は、図６及び図８に示されているように電装品箱４０の下側近傍に配置されている。
【００２７】
ケーシング５０は、上述の室内熱交換器２０と室内ファン３０と電装品箱４０と室内温度センサ４５との周囲を囲っている。空調室内機１０の天面１０ｅにあるケーシング５０の上部の開口部は、室内空気を吸込むための吸込口１１である。また、空調室内機１０の底面１０ｆ即ちケーシング５０の下部には、吸込んだ室内空気を吹出すための吹出口１２が設けられている。吹出口１２には、気流の水平方向と垂直方向の向きを調節するための風向調節羽根３１，３２，３３が設けられている。
【００２８】
背面板６２は、ケーシング５０を壁に取り付けるための金属製の板状の部材である。背面板６２は、プレス加工によって形状の加工が施されている。
【００２９】
ケーシング５０の吸込口１１から吸込まれる室内空気は、エアフィルタ１３で塵埃が除去され、室内熱交換器２０の伝熱フィン２１，２２及び伝熱管２３，２４の間を下方に通り抜ける。このとき、伝熱フィン２１，２２及び伝熱管２３，２４により、ケーシング５０の吸込口１１から吸込まれる室内空気が熱交換される。室内ファン３０は、ケーシング５０の吸込口１１から室内熱交換器２０を通り抜けて下方に向かうように室内空気を送風する。そして、室内ファン３０によって送風される空気は、吹出口１２から吹出される。吹出口１２から吹出される空気は、室内熱交換器２０によって温度や湿度が調整されている調和空気であり、風向調節羽根３１，３２，３３によって吹き出される方向が調節される。
【００３０】
室内温度センサ４５は、電装品箱４０の中に収納されている室内制御部（図示せず）に接続されている。室内温度センサ４５は、室内熱交換器２０の右側部の側に配置されており、吹出口１２から吹出される調和空気が直接当たらない場所にある。室内制御部には、室内温度センサ４５で検出される室内空気の温度が伝達され、室内温度センサ４５で検知される温度は、室内熱交換器２０の伝熱管２３，２４を流れる冷媒や室内ファン３０で送風される室内空気の制御に用いられる。
【００３１】
（２）ケーシングの詳細構成
（２−１）ケーシングの全体構成
ケーシング５０は、分割型のケーシングであり、複数の分割部材で構成されている。複数の分割部材には、右側板部材５２、左側板部材５３及び後部構成部材５４が含まれる。図１に示されているように、右側板部材５２が室内熱交換器２０の右側部２０ａの側を囲っており、左側板部材５３が室内熱交換器２０の左側部２０ｂの側を囲っている。
【００３２】
ケーシング５０には、前面パネル６１が図示しない回転軸に支持されて回動できるように取り付けられている。前面パネル６１は、空調室内機１０の前面を覆う湾曲した板状のプラスチック製の部材である。図７には、前面パネル６１が取り外された状態の空調室内機１０を右斜め上方から見た状態が示されている。図７から分かるように、前面パネル６１は、エアフィルタ１３の一部やダストボックス１４などを覆っている。前面パネル６１は、エアフィルタ１３やダストボックス１４のメンテナンスなどの空調室内機１０の維持管理のために内部に手を加える際に開放される。
【００３３】
後部構成部材５４は、室内の壁に沿って取り付けられる。後部構成部材５４は、図示しない掛止手段（例えばネジや掛止爪など）によって室内熱交換器２０及び室内ファン３０などと結合される。後部構成部材５４は、プラスチックを射出成形して形成される。
【００３４】
後部構成部材５４は、壁面に沿って取り付けられる基部５４ａ、ケーシング５０の右側面の一部を構成する右側面部５４ｂ及びケーシング５０の左側面の一部を構成する左側面部５４ｃを有している。右側面部５４ｂ及び左側面部５４ｃは、板状であり、基部５４ａの長手方向即ち基部５４ａの沿う壁面に対して主面が垂直になるように屈曲して基部５４ａから前方に延びている。
【００３５】
右側板部材５２は、図７と図８を比較して分かるように、空調室内機１０の右側面の大部分の領域及び天面１０ｅの一部並びに前面パネル６１の裏側にある前部１０ｇの一部を形成する。右側板部材５２は、空調室内機１０の前面１０ａの側から矢印Ａｒ１の方向に嵌め込まれて、ネジ９０及び連結用爪５６（図６参照）を使って組み立てられる。ネジ９０は右側板部材５２の前面側からねじ込まれる。
【００３６】
左側板部材５３も、右側板部材５２と同様に、ケーシング５０の左側面の大部分の領域、空調室内機１０の天面１０ｅに一部及び前部１０ｇの一部を形成する。左側板部材５２も、空調室内機１０の前面１０ａの側から嵌め込まれて、ネジ（図示省略）及び連結用爪５８（図３参照）を使って組み立てられる。室内熱交換器２０の右側部２０ａの側に電装品箱４０が配置されているので、天面１０ｅ及び前部１０ｇを囲う部分の面積は、右側板部材５２の方が左側板部材５３よりも大きくなっている。
【００３７】
右側板部材５２及び左側板部材５２の後面側の端部の多くは、後部構成部材５４にと右折するように構成されている。特に、後部構成部材５４の右側面部５４ｂ及び左側面部５４ｃの前端辺５４ｂ１，５４ｃ１がそれぞれ右側板部材５２及び左側板部材５２に当接して、右側板部材５２と右側面部５４ｂ及び左側板部材５３と左側面部５４ｃとが面一になっている。
【００３８】
（２−２）スリットと連結用爪
後部構成部材５４の右側面部５４ｂには、前端辺５４ｂ１に当接片５５が形成されている。左側面部５４ｃにも右側面部５４ｂと同様に当接片（図示せず）が形成されている。右側面部５４ｂの当接片５５と左側面部５４ｃの当接片は左右対称の関係にあるので、以下右側面部５４ｂの当接片５５について説明し、左側面部５４ｃの当接片の説明を省略する。
【００３９】
当接片５５は、右側面部５４ｂの前端辺５４ｂ１に沿って上下に延びる板状の部分であり、右側面部５４ｂと一体に射出成形されて形成される。当接片５５は、右側板部材５２の裏面に当接する当接面５５ａを有している。この当接面５５ａは、右側板部材５２と右側面部５４ｂとが面一になるように、右側面部５４ｂの表面よりも内部にズレた位置に形成されている。
【００４０】
当接片５５の当接面５５ａの前方部分に、上下方向（前後方向に対して垂直な方向）に延びる連結用爪５６が形成されている。連結用爪５６は、当接面５５ａから右側に突出した略三角錐の形状を呈している。連結用爪５６は前方側に傾斜面５６ａは後方側の傾斜面５６ｂよりも緩やかになっている。この後面側の傾斜面５６ｂが図２、図４及び図７に示されているセンサ用スリット５７ｂの後面側に引っ掛かる。
【００４１】
この連結用爪５６は、当接面５５ａから連結用爪５６の頂部までの高さが、当接面５５ａの当接する部分の右側板部材５２の厚みよりも小さくなっている。そのため、連結用爪５６がセンサ用スリット５７ｂの後面側に引っ掛かった状態で連結用爪５６が右側板部材５２の右側面表面よりも突出することはない。
【００４２】
６つのセンサ用スリット５７が、右側板部材５２の右側面１０ｃに形成されている。６つのセンサ用スリット５７は、それぞれ上下方向に長く延びる長穴であり、全てのセンサ用スリット５７の長さが同じである。そして、センサ用スリット５７の上下方向の略中央部が室内温度センサ４５の直右に位置する。つまり、センサ用スリット５７は、室内温度センサ４５に室内空気を効率よく導入するため、センサ用スリット５７に最も近い位置に配置されている。このような構成を有する空調室内機１０では、ケーシング５０の内側が負圧になるため、センサ用スリット５７から室内温度センサ４５に向かう室内空気の気流が発生する。
【００４３】
６つのセンサ用スリット５７は、最も後面１０ｂの側にある１つのセンサ用スリット５７ｂと前面１０ａの側にある５つのセンサ用スリット５７ａとに分類される。センサ用スリット５７ｂは連結用爪５６の爪穴としても用いられる。つまり、センサ用スリット５７ｂは、連結用爪５６が引っ掛けられるとともに室内空気導入にも兼用される。連結用爪５６はセンサ用スリット５７に比べて上下方向が短く、センサ用スリット５７ｂに連結用爪５６が引っ掛った状態で隙間から室内空気が入るように構成されている。前方の５つのセンサ用スリット５７ａは、全て室内温度センサ４５に室内空気を専ら導入するための長穴である。
【００４４】
（２−３）凹溝
左側板部材５２には、前面１０ａの側から並ぶ５つの凹溝５９ａと最も後面１０ｂの側にある爪穴５９ｂが形成されている。これら５つの凹溝５９ａと１つの爪穴５９ｂは、右側板部材５２に形成されている６つのセンサ用スリット５７と対を成すように形成されている。つまり、５つの凹溝５９ａと１つの爪穴５９ｂのそれぞれの平面形状は、センサ用スリット５７の平面形状と同じである。そして、５つの凹溝５９ａと１つの爪穴５９ｂが配置されている位置も、６つのセンサ用スリット５７の配置位置と対称の位置にある。つまり、図２の右側面図と図３の左側面図とに描かれている部分の右側面と左側面を重ねれば、センサ用スリット５７に凹溝５９ａと爪穴５９ｂとが重なる。凹溝５９ａは、センサ用スリット５７と異なり、開口部を有しない。爪穴５９ｂには、連結用爪５８が引っ掛けられる。
【００４５】
（３）特徴
（３−１）
ケーシング５０の右側板部材５２（第１側板部材の一例）に形成されている６つのセンサ用スリット５７は、連結用爪５６（少なくとも一つの連結用爪の一例）が掛止される爪穴に兼用されている。そのため、爪穴を別に形成しなくても済むから爪穴を形成するための金型の構造など爪穴を形成するためのコストを省くことができる。なお、センサ用スリット５７は２つ以上であればよく、６つに限られるものではない。
【００４６】
（３−２）
左側板部材５３（第２側板部材の一例）に、５の凹溝５９ａと１つの爪穴５９ｂとが６つのセンサ用スリット５７と対を成すように並んで形成されているので、右側板部材５２と左側板部材５３とが側面について左右対称の外観を呈するように構成され、６つのセンサ用スリット５７が模様のように見える。このように、６つのセンサ用スリット５７が模様のように見えることで意匠性が向上している。なお、爪穴５９ｂには、連結用爪５８（第２連結用爪の一例）が掛止され、センサ用スリット５７ｂには、連結用爪５６（第１連結用爪の一例）が掛止される。
【００４７】
（３−３）
連結用爪５６は、右側板部材５２の側面から突出しないように、センサ用スリット５７ｂに掛止されている。このように、連結用爪５６が右側板部材５２の側面から突出しないので、前方や斜め下方から右側板部材５２の側面を見ても連結用爪５６が見え難くなり、連結用爪５６によって空調室内機１０の外観の意匠性が損なわれるのを防ぐことができる。
【００４８】
（３−４）
連結用爪５６は、センサ用スリット５７ｂの後面側を掛止するように前後方向に対して垂直に延びている。そして、右側板部材５２が空調室内機１０の前面１０ａの側から取り付けられる。そのため、空調室内機１０を室内の壁などに取り付けるときに、右側板部材５２を前面１０ａの側から取り付けられるので作業性が向上する。
【００４９】
（３−５）
右側板部材５２に沿って電装品箱４０が配置され、室内温度センサ４５が電装品箱４０に接続される。室内温度センサ４５から電装品箱４０までの配線（図示せず）が短くなり、室内温度センサ４５から電装品箱４０までの配線が短くなったり、センサからの配線が容易になったりしてコストが削減される。
【００５０】
（４）変形例
（４−１）変形例１Ａ
上記実施形態では、電装品箱４０及び室内温度センサ４５が右側板部材５２の側に配置されているため、右側板部材５２にセンサ用スリット５７が形成され、左側板部材５３に凹溝５９ａ及び爪穴５９ｂが形成されている。しかし、電装品箱４０及び室内温度センサ４５が左側板部材５３の側に配置されるときは、左側板部材５３にセンサ用スリット５７が形成され、右側板部材５２に凹溝５９ａ及び爪穴５９ｂが形成されてもよい。
【００５１】
（４−２）変形例１Ｂ
上記実施形態では、当接片５５の上下方向の長さが連結用爪５６の上下方向の長さよりも長く形成されている。しかし、当接片５５の上下方向の長さは、例えば連結用爪５６の上下方向の長さと等しくして、センサ用スリット５７ｂから内部に室内空気が通り易くなるように構成してもよい。あるいは、センサ用スリット５７ｂと重なる部分の当接片５５に開口部を形成してもよい。
【符号の説明】
【００５２】
１０      空調室内機
２０    室外熱交換器
３０    室内ファン
４０    電装品箱
４５    室内温度センサ
５０    ケーシング
５２    右側板部材
５３    左側板部材
５６，５８    連結用爪
５７，５７ａ，５７ｂ    センサ用スリット
５９ａ    凹溝
５９ｂ    爪穴
【先行技術文献】
【特許文献】
【００５３】
【特許文献１】特開２００５−１０６３８７号公報
【図１】
2014092294.tif 000003
【図２】
2014092294.tif 000004
【図３】
2014092294.tif 000005
【図４】
2014092294.tif 000006
【図５】
2014092294.tif 000007
【図６】
2014092294.tif 000008
【図７】
2014092294.tif 000009
【図８】
2014092294.tif 000010